(57)【要約】【課題】チャネル品質測定指示シグナルの送信方法及び受信方法とチャネル品質情報のフィードバックシグナルの送信方法及び受信方法を提供すること。【解決手段】具体的には、シグナルに一つ又は複数の特定の周波数パ−ティションのチャネル品質情報を指示するステップを含む。該方法によると、必要な一つ又は複数の周波数パーティションを報知することができ、多くの時間及びリソースを節約することができる。【選択図】図２
2013502775.tif 000002
【特許請求の範囲】
【請求項１】
基地局が端末に、一つ又は複数の周波数パ−ティションのチャネル品質情報を報知することを指示するチャネル品質測定指示シグナルを送信するステップを含むことを特徴とするチャネル品質測定指示シグナルの送信方法。
【請求項２】
前記周波数パ−ティションの選択は、前記基地局又は上層のネットワークエレメントにより確定されることを特徴とする請求項１に記載の方法。
【請求項３】
前記端末は、一つの端末又は複数の端末の集合であることを特徴とする請求項１に記載の方法。
【請求項４】
前記上層のネットワークエレメントは、基地局、中継機器、基地局コントローラ、アクセスサービスネットワーク、接続サービスネットワーク、コアネットワーク又はコアネットワークゲートウェイから選択される一つであることを特徴とする請求項２に記載の方法。
【請求項５】
前記チャネル品質測定指示シグナルが、前記基地局から送信されるシグナルが前記チャネル品質測定指示シグナルであることを指示するシグナルタイプと、前記端末が報知する必要のある前記周波数パ−ティションの番号を指示する周波数パ−ティションマークと、を含むことを特徴とする請求項１に記載の方法。
【請求項６】
前記チャネル品質測定指示シグナルが、前記端末が測定する必要のある前記チャネル品質情報のタイプを指示するチャネル品質情報タイプを更に含むことを特徴とする請求項５に記載の方法。
【請求項７】
前記チャネル品質測定指示シグナルが、前記端末に全ての周波数パ−ティションのチャネル品質情報を報知することを指示する全周波数パ−ティション報知指示情報を更に含むことを特徴とする請求項５に記載の方法。
【請求項８】
前記周波数パ−ティションマークを、周波数パ−ティションのビットマップ（ｂｉｔｍａｐ）で示すことを特徴とする請求項５に記載の方法。
【請求項９】
前記周波数パ−ティションのビットマップの長さが、前記周波数パ−ティションの数によって確定されることを特徴とする請求項８に記載の方法。
【請求項１０】
前記チャネル品質情報タイプが、干渉測定値、信号対干渉雑音比ＳＩＮＲ、信号対干渉比ＳＩＲ、信号対雑音比ＳＮＲ、スペクトル効率、チャネル品質に関する測定値の中の一つ又は複数を含むことを特徴とする請求項６に記載の方法。
【請求項１１】
端末が基地局から送信されるチャネル品質測定指示シグナルを受信し、
前記チャネル品質測定指示シグナルのシグナルタイプに基づいて、前記シグナルがチャネル品質測定指示シグナルであるか判定し、
前記チャネル品質測定指示シグナルに基づいて測定し、前記一つ又は複数の周波数パ−ティションのチャネル品質情報を報知するステップを含むことを特徴とする、請求項１に記載の送信方法に対応するチャネル品質測定指示シグナルの受信方法。
【請求項１２】
前記チャネル品質測定指示シグナルに基づいて測定し、周波数パ−ティションのチャネル品質情報を報知するステップが、
前記チャネル品質測定指示シグナルが前記シグナルタイプと、ビットマップと、全周波数パ−ティション報知指示情報と、チャネル品質情報タイプとを含む場合、
前記全周波数パ−ティション報知指示情報により全ての周波数パ−ティションのチャネル品質情報の報知が指示されたか否かを判定し、
ＹＥＳであると、前記チャネル品質情報タイプに基づいて、測定する必要のあるチャネル品質情報を確定し、全ての周波数パ−ティションのチャネル品質情報を報知し、
ＮＯであると、前記周波数パ−ティションのビットマップに基づいて、測定する必要のある周波数パ−ティションの番号を確定し、前記チャネル品質情報タイプに基づいて、測定する必要のあるチャネル品質情報を確定し、前記測定する必要のある周波数パ−ティションのチャネル品質情報を測定し、報知するステップを含むことを特徴とする請求項１１に記載の方法。
【請求項１３】
前記チャネル品質測定指示シグナルに基づいて、周波数パ−ティションのチャネル品質情報を測定して報知するステップが、
前記チャネル品質測定指示シグナルが前記シグナルタイプと、ビットマップと、全周波数パ−ティション報知指示情報と、を含むが前記チャネル品質情報タイプを含まない場合、
前記全周波数パ−ティション報知指示情報により全ての周波数パ−ティションのチャネル品質情報の報知が指示されたか否かを判定し、
ＹＥＳであると、１種類又は複数の種類のチャネル品質測定方法を選択し、選択したチャネル品質測定方法によって、測定する必要のあるチャネル品質情報を確定し、選択したチャネル品質測定方法のインデックス情報と全ての周波数パ−ティションのチャネル品質情報を報知し、
ＮＯであると、前記周波数パ−ティションのビットマップに基づいて、測定する必要のある周波数パ−ティションの番号を確定し、１種類又は複数の種類のチャネル品質測定方法を選択し、選択したチャネル品質測定方法によって、測定する必要のあるチャネル品質情報を確定し、選択したチャネル品質測定方法のインデックス情報と前記測定する必要のある周波数パ−ティションのチャネル品質情報を報知するステップを含むことを特徴とする請求項１１に記載の方法。
【請求項１４】
前記チャネル品質測定指示シグナルに基づいて、周波数パ−ティションのチャネル品質情報を測定して報知するステップが、
前記チャネル品質測定指示シグナルが前記シグナルタイプと、ビットマップと、チャネル品質情報タイプとを含むが全周波数パ−ティション報知指示情報を含まない場合、
前記周波数パ−ティションのビットマップに基づいて、測定する必要のある周波数パ−ティションの番号を確定し、前記チャネル品質情報タイプに基づいて、測定する必要のあるチャネル品質情報タイプを確定し、測定する必要のある周波数パ−ティションのチャネル品質情報を測定して報知するステップを含むことを特徴とする請求項１１に記載の方法。
【請求項１５】
前記チャネル品質測定指示シグナルに基づいて、周波数パ−ティションのチャネル品質情報を測定して報知するステップが、
前記チャネル品質測定指示シグナルが前記シグナルタイプと、ビットマップとを含むが全周波数パ−ティション報知指示情報とチャネル品質情報タイプとを含まない場合、
前記周波数パ−ティションのビットマップに基づいて、測定する必要のある周波数パ−ティションの番号を確定し、１種類又は複数の種類のチャネル品質測定方法を選択し、選択したチャネル品質測定方法によって、測定する必要のあるチャネル品質情報を確定し、選択したチャネル品質測定方法のインデックス情報と前記測定する必要のある周波数パ−ティションのチャネル品質情報を測定して報知するステップを含むことを特徴とする請求項１１に記載の方法。
【請求項１６】
前記チャネル品質測定方法が、干渉測定、信号対干渉雑音比ＳＩＮＲ測定、信号対干渉比ＳＩＲ、信号対雑音比ＳＮＲ、スペクトル効率、チャネル品質に関する測定値の中の一つを含むことを特徴とする請求項１２に記載の方法。
【請求項１７】
端末が基地局に、報知する一つ又は複数の周波数パ−ティションのチャネル品質情報を含むチャネル品質情報のフィードバックシグナルを送信するステップを含むことを特徴とするチャネル品質情報のフィードバックシグナルの送信方法。
【請求項１８】
前記周波数パ−ティションの選択は、前記端末又は前記端末のサービング基地局又は上層のネットワークエレメントにより確定することを特徴とする請求項１７に記載の方法。
【請求項１９】
前記上層のネットワークエレメントは、基地局、中継機器、基地局コントローラ、アクセスサービスネットワーク、接続サービスネットワーク、コアネットワーク又はコアネットワークゲートウェイから選択される一つであることを特徴とする請求項１８に記載の方法。
【請求項２０】
前記チャネル品質情報のフィードバックシグナルが、前記端末から送信されるシグナルが前記チャネル品質情報のフィードバックシグナルであることを指示するシグナルタイプと、前記端末が報知する前記周波数パ−ティションの番号を指示する周波数パ−ティションマークと、前記端末が測定した前記チャネル品質情報のタイプを指示するチャネル品質情報タイプと、を含むことを特徴とする請求項１７に記載の方法。
【請求項２１】
前記チャネル品質情報のフィードバックシグナルが、全ての周波数パ−ティションのチャネル品質情報を報知することを前記端末に指示する全周波数パ−ティション報知指示情報を更に含むことを特徴とする請求項２０に記載の方法。
【請求項２２】
前記周波数パ−ティションマークを、周波数パ−ティションのビットマップ（ｂｉｔｍａｐ）で示すことを特徴とする請求項２０に記載の方法。
【請求項２３】
前記周波数パ−ティションのビットマップの長さが、前記周波数パ−ティションの数によって確定されることを特徴とする請求項２２に記載の方法。
【請求項２４】
前記チャネル品質情報タイプが、干渉測定値、信号対干渉雑音比ＳＩＮＲ、信号対干渉比ＳＩＲ、信号対雑音比ＳＮＲ、スペクトル効率、チャネル品質に関する測定値の中の一つ又は複数を含むことを特徴とする請求項２０に記載の方法。
【請求項２５】
基地局が端末から送信されるチャネル品質情報のフィードバックシグナルを受信し、
前記シグナルタイプ情報に基づいて、前記シグナルがチャネル品質情報のフィードバックシグナルであると判定し、
前記チャネル品質情報のフィードバックシグナルに基づいて、チャネル品質情報を取得するステップを含むことを特徴とする、請求項１７に記載の送信方法に対するチャネル品質情報のフィードバックシグナルの受信方法。
【請求項２６】
前記チャネル品質情報のフィードバックシグナルに基づいて、チャネル品質情報を取得するステップが、
前記チャネル品質情報のフィードバックシグナルが前記シグナルタイプと、ビットマップと、チャネル品質情報タイプと、全周波数パ−ティション報知指示情報とを含む場合、
前記全周波数パ−ティション報知指示情報により全ての周波数パ−ティションのチャネル品質情報の報知が指示されたか否かを判定し、
ＹＥＳであると、チャネル品質情報タイプに基づいて、前記端末が測定したチャネル品質情報タイプを確定し、前記端末がフィードバックした全ての周波数パ−ティションのチャネル品質情報を取得し、
ＮＯであると、周波数パ−ティションのビットマップに基づいて、前記端末がフィードバックした周波数パ−ティション番号を確定し、チャネル品質情報タイプに基づいて、前記端末が測定したチャネル品質情報タイプを確定し、前記端末がフィードバックした一つ又は複数の周波数パ−ティションのチャネル品質情報を取得するステップを含むことを特徴とする請求項２５に記載の方法。
【請求項２７】
前記チャネル品質情報のフィードバックシグナルに基づいてチャネル品質情報を取得するステップが、
前記チャネル品質情報のフィードバックシグナルが前記シグナルタイプと、ビットマップと、チャネル品質情報タイプとを含むが全周波数パ−ティション報知指示情報を含まない場合、
周波数パ−ティションのビットマップに基づいて、前記端末がフィードバックした周波数パ−ティション番号を確定し、チャネル品質情報タイプに基づいて、前記端末が測定したチャネル品質情報タイプを確定し、前記端末がフィードバックした周波数パ−ティションのチャネル品質情報を取得するステップを含むことを特徴とする請求項２５に記載の方法。
【請求項２８】
端末に、一つ又は複数の周波数パ−ティションのチャネル品質情報を報知することを指示するチャネル品質測定指示シグナルを送信する基地局と、
前記チャネル品質測定指示シグナルを受信し、前記チャネル品質測定指示シグナルのシグナルタイプに基づいて、前記シグナルがチャネル品質測定指示シグナルであるか判定し、前記チャネル品質測定指示シグナルに基づいて、前記一つ又は複数の周波数パ−ティションのチャネル品質情報を測定して報知する端末と、を含むことを特徴とするチャネル品質測定指示シグナルの伝送システム。
【請求項２９】
報知する一つ又は複数の周波数パ−ティションのチャネル品質情報を含むチャネル品質情報のフィードバックシグナルを基地局に送信する端末と、
前記チャネル品質情報のフィードバックシグナルを受信し、前記シグナルタイプ情報に基づいて、前記シグナルがチャネル品質情報のフィードバックシグナルであるか判定し、前記チャネル品質情報のフィードバックシグナルに基づいてチャネル品質情報を取得する基地局と、を含むことを特徴とするチャネル品質情報のフィードバックシグナルの伝送システム。
【発明の詳細な説明】
【技術分野】
【０００１】
本発明は、無線通信分野に関し、具体的には、無線通信システムにおけるチャネル品質の測定指示シグナルの送信方法及び受信方法に関する。
【背景技術】
【０００２】
無線通信システムにおいて、基地局は、端末にサービスを提供する機器であり、基地局はアップリンク/ダウンリンクを介し、端末と通信を行い、その中、ダウンリンク又は順方向は基地局から端末への方向を指し、アップリンク又は逆方向は端末から基地局への方向を指す。複数の端末は同時にアップリンクを介し、基地局にデータを送信することができ、また、ダウンリンクを介し、同時に基地局からデータを受信することもできる。
【０００３】
基地局によるスケジューリング・制御を行うデータ伝送システムにおいて、通常、システムにおける全てのリソースを基地局によりスケジューリングし、割り当て、例えば、基地局がダウンリンク伝送を行う際のリソース割り当て状況及び端末がアップリンク伝送を行う際に利用可能なリソース状況等を基地局がスケジューリングし、割り当てる。
【０００４】
ＯＦＤＭシステムにおいて、同一のセルで基地局が異なる端末とダウンリンクデータ伝送を行う場合、これらのダウンリンクが互いに直交するため、セル内の干渉を避けることができる。しかし、異なるセル間のダウンリンクは直交しないこともあるので、各端末は他の隣接セルの基地局からのダウンリンク干渉、即ち、セル間の干渉を受けることがある。
【０００５】
システム機能に対するセル間の干渉の影響を減少することはセルラーシステムを設計する際の重要な目標であり、セル間の干渉が大きいと、システムの容量、特にセル末端部のユーザの伝送能力が低減され、システムのカバー範囲及び端末の機能に影響を与えてしまう。セル間の干渉を克服するために、部分周波数再利用技術（Fractional  Frequency  Reuse、以下ＦＦＲと略称）を用い、サブキャリアのパワーレベルが異なるリソースを対応する端末に割り当て、セル間の干渉強度を低減することができる。
【０００６】
図１は、三つの隣接セクタの周波数リソースの割り当て方式及び各周波数パ−ティション（Frequency  Partition、ＦＰ）の送信電力制限状況を示す図である。ＦＦＲの主要原理は以下のとおりである。
【０００７】
先ず、利用可能な周波数リソースをＮ（Ｎは、０を超える整数）、例えばＮ＝４個のＦＰに分割し、即ち、利用可能な周波数リソースを[FP1，FP2，FP3，FP4]に分割する。その中、［FP2，FP3，FP4]の周波数再利用要素は３（即ち、Ｒｅｕｓｅ３、Ｒｅｕｓｅ１/３とも称する）であり、［FP2，FP3，FP4]における周波数リソースを三つの隣接セクタの中のいずれかのセクタに割り当てると、他の二つのセクタは、当該周波数リソースを利用することができず、又は当該周波数リソースのサブキャリア送信電力を制限する方法で当該周波数リソースを利用する。FP1の周波数再利用要素が１（即ち、Ｒｅｕｓｅ１）であると、三つの隣接セクタはいずれも当該周波数リソースを利用することができる。
【０００８】
その後、各端末は、各ＦＰのチャネル品質（例えば、各ＦＰの平均の信号対干渉雑音比ＳＩＮＲ、又は各ＦＰの干渉測定値）を測定し、Ｍ（Ｍ≧１）個のＦＰのチャネル品質情報を基地局にフィードバックする。
【０００９】
最後に、基地局は端末が報知したＦＰのチャネル品質情報状況に基づいて端末にリソースを割り当てる。
【００１０】
本願の発明者は、端末がＦＰのチャネル品質状況を報知するが、基地局が取得したＦＰのチャネル品質情報は当該端末にＦＰを割り当てる際の需要を満たすことができず、例えば、複数の端末が同一のＦＰのチャネル品質情報を報知した場合、ＦＰのリソースが限られているため、当該ＦＰのリソースを割り当てることのできない端末も発生し、基地局はこれらの端末の他のＦＰ上のチャネル品質情報を把握しなければ、これらの端末に他の適切なＦＰ上のリソースを割り当てることができないことを見い出した。
【発明の概要】
【発明が解決しようとする課題】
【００１１】
本発明は、既存の報知したＦＰチャネル品質情報が基地局によるＦＰの割り当ての要求を満たすことができない問題に鑑み、当該問題を解決できる無線通信システムにおけるチャネル品質測定指示シグナルの送信方法、受信方法及び伝送システムを提供することを目的とする。
【課題を解決するための手段】
【００１２】
本発明によると、基地局が端末に、一つ又は複数の周波数パ−ティションのチャネル品質情報を報知することを指示するチャネル品質測定指示シグナルを送信するステップを含むチャネル品質測定指示シグナルの送信方法が提供される。
【００１３】
その中、周波数パ−ティションの選択は、基地局又は上層のネットワークエレメントにより確定される。
【００１４】
その中、前記端末は、一つの端末又は複数の端末の集合である。
【００１５】
その中、前記上層のネットワークエレメントは、基地局、中継機器、基地局コントローラ、アクセスサービスネットワーク、接続サービスネットワーク、コアネットワーク又はコアネットワークゲートウェイから選択される一つである。
【００１６】
その中、前記チャネル品質の測定指示シグナルは、前記基地局から送信されるシグナルが前記チャネル品質の測定指示シグナルであることを指示するシグナルタイプと、前記端末が報知する必要のある前記周波数パ−ティションの番号を指示する周波数パ−ティションマークと、を含む。
【００１７】
その中、前記チャネル品質測定指示シグナルは、更に、前記端末が測定する必要のある前記チャネル品質情報のタイプを指示するチャネル品質情報タイプを含む。
【００１８】
その中、前記チャネル品質の測定指示シグナルは、更に、端末に全ての周波数パ−ティションのチャネル品質情報を報知することを指示する全周波数パ−ティション報知指示情報を含む。
【００１９】
その中、前記周波数パ−ティションマークは、周波数パ−ティションのビットマップ（ｂｉｔｍａｐ）で表す。
【００２０】
その中、前記周波数パ−ティションのビットマップの長さは、前記周波数パ−ティションの数によって確定される。
【００２１】
その中、前記チャネル品質情報タイプは、干渉測定値、信号対干渉雑音比ＳＩＮＲ、信号対干渉比ＳＩＲ、信号対雑音比ＳＮＲ、スペクトル効率、チャネル品質に関する測定値の中の一つ又は複数を含む。
【００２２】
また、前記送信方法に対応し、端末が基地局から送信されるチャネル品質測定指示シグナルを受信し、チャネル品質測定指示シグナルのシグナルタイプに基づき、シグナルがチャネル品質測定指示シグナルであるかどうかを判定し、チャネル品質の測定指示シグナルに基づいて測定し、一つ又は複数の周波数パ−ティションのチャネル品質情報を報知するステップを含む、チャネル品質の測定指示シグナルの受信方法を提供する。
【００２３】
その中、チャネル品質の測定指示シグナルに基づいて測定し、周波数パ−ティションのチャネル品質情報を報知するステップは、具体的には、チャネル品質測定指示シグナルがシグナルタイプと、ビットマップと、全周波数パ−ティション報知指示情報と、チャネル品質情報タイプとを含む場合、全周波数パ−ティション報知指示情報により全ての周波数パ−ティションのチャネル品質情報の報知が指示されたか否かを判定し、ＹＥＳであると、チャネル品質情報タイプに基づき、測定する必要のあるチャネル品質情報を確定し、全ての周波数パ−ティションのチャネル品質情報を報知し、ＮＯであると、周波数パ−ティションのビットマップに基づき、測定する必要のある周波数パ−ティションの番号を確定し、チャネル品質情報タイプに基づき、測定する必要のあるチャネル品質情報を確定して測定し、前記測定する必要のある周波数パ−ティションのチャネル品質情報を報知するステップを含む。
【００２４】
その中、チャネル品質の測定指示シグナルに基づいて測定し、周波数パ−ティションのチャネル品質情報を報知するステップにおいて、具体的には、チャネル品質の測定指示シグナルがシグナルタイプと、ビットマップと、全周波数パ−ティション報知指示情報とを含むが、チャネル品質情報タイプを含まない場合、全周波数パ−ティション報知指示情報により全ての周波数パ−ティションのチャネル品質情報の報知が指示されたか否かを判定し、ＹＥＳであると、１種類又は複数の種類のチャネル品質の測定方法を選択し、選択したチャネル品質の測定方法によって、測定する必要のあるチャネル品質情報を確定し、選択したチャネル品質の測定方法のインデックス情報と全ての周波数パ−ティションのチャネル品質の情報を報知し、ＮＯであると、周波数パ−ティションのビットマップに基づき、測定する必要のある周波数パ−ティションの番号を確定し、１種類又は複数の種類のチャネル品質の測定方法を選択し、選択したチャネル品質の測定方法によって、測定する必要のあるチャネル品質情報を確定し、選択したチャネル品質の測定方法のインデックス情報と前記測定する必要のある周波数パ−ティションのチャネル品質情報を報知するステップを含む。
【００２５】
その中、チャネル品質の測定指示シグナルに基づいて測定し、周波数パ−ティションのチャネル品質情報を報知するステップにおいて、具体的には、チャネル品質の測定指示シグナルがシグナルタイプと、ビットマップと、チャネル品質情報タイプとを含むが全周波数パ−ティションの報知指示情報を含まない場合、周波数パ−ティションのビットマップに基づき、測定する必要のある周波数パ−ティションの番号を確定し、チャネル品質情報タイプに基づき、測定する必要のあるチャネル品質情報タイプを確定し、また測定し、測定する必要のある周波数パ−ティションのチャネル品質情報を報知するステップを含む。
【００２６】
その中、チャネル品質の測定指示シグナルに基づいて測定し、周波数パ−ティションのチャネル品質情報を報知するステップにおいて、具体的には、チャネル品質の測定指示シグナルがシグナルタイプと、ビットマップとを含むが全周波数パ−ティションの報知指示情報とチャネル品質情報タイプとを含まない場合、周波数パ−ティションのビットマップに基づいて、測定する必要のある周波数パ−ティションの番号を確定し、１種類又は複数の種類のチャネル品質の測定方法を選択し、選択したチャネル品質の測定方法によって、測定する必要のあるチャネル品質情報を確定し、また測定し、選択したチャネル品質の測定方法のインデックス情報と前記測定する必要のある周波数パ−ティションのチャネル品質情報を報知するステップを含む。
【００２７】
その中、チャネル品質の測定方法は、干渉測定、信号対干渉雑音比ＳＩＮＲ測定、信号対干渉比ＳＩＲ、信号対雑音比ＳＮＲ、スペクトル効率、チャネル品質に関する測定値の中の一つを含む。
【００２８】
本発明によると、端末が基地局に、報知する一つ又は複数の周波数パ−ティションのチャネル品質情報を含むチャネル品質情報のフィードバックシグナルを送信するステップを含むチャネル品質情報のフィードバックシグナルの送信方法が提供される。
【００２９】
その中、周波数パ−ティションの選択は、端末又は端末のサービング基地局又は上層のネットワークエレメントにより確定される。
【００３０】
その中、上層のネットワークエレメントは、基地局、中継機器、基地局コントローラ、アクセスサービスネットワーク、接続サービスネットワーク、コアネットワーク又はコアネットワークゲートウェイから選択される一つである。
【００３１】
その中、チャネル品質情報のフィードバックシグナルは、端末から送信されたシグナルがチャネル品質情報のフィードバックシグナルであることを指示するシグナルタイプと、端末が報知する周波数パ−ティションの番号を指示する周波数パ−ティションマークと、端末が測定した前記チャネル品質情報のタイプを指示するチャネル品質情報タイプと、を含む。
【００３２】
その中、チャネル品質情報のフィードバックシグナルは、更に、全ての周波数パ−ティションのチャネル品質情報を報知することを前記端末に指示する全周波数パ−ティション報知指示情報を含む。
【００３３】
その中、周波数パ−ティションマークは、周波数パ−ティションのビットマップ（ｂｉｔｍａｐ）で示す。
【００３４】
その中、周波数パ−ティションのビットマップの長さは、周波数パ−ティションの数によって確定される。
【００３５】
その中、チャネル品質情報タイプは、干渉測定値、信号対干渉雑音比ＳＩＮＲ、信号対干渉比ＳＩＲ、信号対雑音比ＳＮＲ、スペクトル効率、チャネル品質に関する測定値の中の一つ又は複数を含む。
【００３６】
また、前記送信方法に対応し、基地局が端末から送信されたチャネル品質情報のフィードバックシグナルを受信し、シグナルタイプ情報に基づき、シグナルがチャネル品質情報のフィードバックシグナルであると判定し、チャネル品質情報のフィードバックシグナルに基づき、チャネル品質情報を取得するステップを含む、チャネル品質情報のフィードバックシグナルの受信方法を提供する。
【００３７】
その中、チャネル品質情報のフィードバックシグナルに基づき、チャネル品質情報を取得するステップにおいて、具体的には、チャネル品質情報のフィードバックシグナルがシグナルタイプと、ビットマップと、チャネル品質情報タイプと、全周波数パ−ティション報知指示情報とを含む場合、全周波数パ−ティション報知指示情報により全ての周波数パ−ティションのチャネル品質情報の報知が指示されたか否かを判定し、ＹＥＳであると、チャネル品質情報タイプに基づき、前記端末が測定したチャネル品質情報タイプを確定し、端末がフィードバックした全ての周波数パ−ティションのチャネル品質情報を取得し、ＮＯであると、周波数パ−ティションのビットマップに基づき、前記端末がフィードバックした周波数パ−ティション番号を確定し、チャネル品質情報タイプに基づき、端末が測定したチャネル品質情報タイプを確定し、前記端末がフィードバックした一つ又は複数の周波数パ−ティションのチャネル品質情報を取得するステップを含む。
【００３８】
その中、チャネル品質情報のフィードバックシグナルに基づいてチャネル品質情報を取得するステップにおいて、具体的には、チャネル品質情報のフィードバックシグナルがシグナルタイプと、ビットマップと、チャネル品質情報タイプとを含むが全周波数パ−ティションの報知指示情報を含まない場合、周波数パ−ティションのビットマップに基づき、前記端末がフィードバックした周波数パ−ティション番号を確定し、チャネル品質情報タイプに基づき、端末が測定したチャネル品質情報タイプを確定し、端末がフィードバックした周波数パ−ティションのチャネル品質情報を取得するステップを含む。
【発明の効果】
【００３９】
本発明によると、基地局の需要に応じ、特定のＦＰのチャネル品質情報を同時に報知することができ、既存技術における報知した情報が基地局による割り当ての要求を満たすことができない問題を解決することができる。
【００４０】
ここで説明する図面は本発明を理解させるためのものであり、本発明の一部を構成し、本発明における実施例と共に本発明を解釈し、本発明を不当に限定するものではない。
【図面の簡単な説明】
【００４１】
【図１】隣接セクタの周波数リソース割り当て方式及び各周波数パーティションの送信電力制限状況を示す図である。
【図２】本発明の実施例に係る隣接セクタの周波数リソース割り当て方式及び各周波数パーティションの送信電力制限状況を示す図である。
【図３】本発明の実施例１６に係る伝送システムの構造を示すブロック図である。
【発明を実施するための形態】
【００４２】
以下、図面及び具体的な実施形態に合わせ、本発明を更に説明する。
[実施例１]
該実施例によると、無線通信システムにおけるチャネル品質の測定指示シグナルの送信方法を提供し、具体的には以下を含む。
基地局はダウンリンクチャネルを介し、チャネル品質の測定指示シグナルを送信し、その中、前記チャネル品質の測定指示シグナルは、端末に特定のＦＰのチャネル品質情報を報知することを通知するためのものである。
【００４３】
その中、前記特定のＦＰは、一つ又は複数のＦＰを指す。
【００４４】
その中、前記特定のＦＰの選択は前記基地局により確定され、又は上層のネットワークエレメントにより確定される。
【００４５】
その中、前記上層のネットワークエレメントは、基地局、中継機器、基地局コントローラ、アクセスサービスネットワーク、接続サービスネットワーク又はコアネットワークゲートウェイ等であることができる。
【００４６】
その中、前記チャネル品質の測定指示シグナルは、少なくとも、シグナルタイプ、ＦＰのｂｉｔｍａｐ、チャネル品質の情報タイプの中の一つを含む。
【００４７】
更に、前記シグナルタイプは、前記基地局が送信したシグナルが前記チャネル品質の測定指示シグナルであることを指示する。
【００４８】
更に、前記ＦＰのｂｉｔｍａｐは、端末が報知する必要のあるチャネル品質情報の周波数パ−ティション（ＦＰ）の番号を指示する。
【００４９】
例えば、合計４個のＦＰ、即ち[FP1，FP2，FP3，FP4]が存在すると、ｂｉｔｍａｐ「０１０１」は、端末がＦＰ２とＦＰ４のチャネル品質情報を報知する必要があることを示す。その中、ビットの位置は対応するＦＰ番号を示し、ビットが「１」であると、端末がチャネル品質情報を報知する必要があることを示し、ビットが「０」であると、端末がチャネル品質情報を報知する必要がないことを示す。または、ビットが「０」であると、端末がチャネル品質情報を報知する必要があることを示し、ビットが「１」であると、端末がチャネル品質情報を報知する必要がないことを示すようにしてもよく、本実施例に限定されない。
【００５０】
更に、前記ＦＰのｂｉｔｍａｐの長さはＦＰの数によって確定される。
【００５１】
更に、前記チャネル品質情報タイプは、端末が測定する必要のあるチャネル品質情報のタイプを指示する。
【００５２】
更に、前記チャネル品質情報のタイプは、干渉測定値、信号対干渉雑音比(ＳＩＮＲ)、チャネル品質に関する他の測定値（例えば、信号対干渉比ＳＩＲ、信号対雑音比ＳＮＲ、スペクトル効率等）の中の少なくとも一つを含む。
【００５３】
本実施例によると、無線通信システムにおけるチャネル品質の測定指示シグナルの受信方法を提供し、具体的には以下を含む。
（１）端末は、基地局から送信されたチャネル品質の測定指示シグナルを受信してデコードする。
（２）端末は、シグナルタイプ情報に基づき、前記シグナルがチャネル品質測定指示シグナルであると判定する。
（３）端末は、ＦＰのｂｉｔｍａｐに基づき、測定する必要のあるＦＰの番号を確定する。
（４）端末は、チャネル品質情報タイプに基づき、測定する必要のあるチャネル品質情報のタイプを確定し、測定した後、前記ＦＰのチャネル品質情報を報知する。
【００５４】
[実施例２]
本実施例によると、無線通信システムにおけるチャネル品質の測定指示シグナルの送信方法を提供し、具体的には以下を含む。
基地局は、ダウンリンクチャネルを介してチャネル品質の測定指示シグナルを送信し、その中、前記チャネル品質の測定指示シグナルは、端末に特定のＦＰのチャネル品質情報の報知を通知する。
【００５５】
その中、前記特定のＦＰは、一つ又は複数のＦＰを指す。
【００５６】
その中、前記特定のＦＰの選択は、前記基地局により確定され、又は上層のネットワークエレメントにより確定される。
【００５７】
その中、前記上層のネットワークエレメントは、基地局、中継機器、基地局コントローラ、アクセスサービスネットワーク、接続サービスネットワーク又はコアネットワークゲートウェイ等であることができる。
【００５８】
その中、前記チャネル品質の測定指示シグナルは、少なくとも、シグナルタイプ、全ＦＰ報知指示情報、ＦＰのｂｉｔｍａｐ、チャネル品質情報タイプの中の一つを含む。
【００５９】
更に、前記シグナルタイプは、前記基地局から送信されたシグナルが前記チャネル品質の測定指示シグナルであることを指示する。
【００６０】
更に、前記全ＦＰ報知指示情報は、端末が全てのＦＰのチャネル品質情報を報知する必要があるか否かを指示する。
【００６１】
更に、前記ＦＰのｂｉｔｍａｐは、端末がチャネル品質情報を報知する必要のある一部周波数パ−ティション（ＦＰ）の番号を指示する。具体的には、どのＦＰのチャネル品質情報を報知する必要があるかを指示するように、全ＦＰ報知指示情報により端末が全てのＦＰのチャネル品質情報を報知する必要がないことが指示された場合のみにＦＰのｂｉｔｍａｐを含むことが好ましい。
【００６２】
例えば、合計で４個のＦＰ、即ち[FP1，FP2，FP3，FP4]が存在する場合、ｂｉｔｍａｐ「０１０１」は、端末がＦＰ２とＦＰ４のチャネル品質情報を報知する必要があることを示す。その中、ビットの位置は対応するＦＰ番号を示し、ビットが「１」であると端末がチャネル品質情報を報知する必要があることを示し、ビットが「０」であると端末がチャネル品質情報を報知する必要がないことを示す。
【００６３】
更に、前記ＦＰのｂｉｔｍａｐの長さは、ＦＰの数によって確定される。
【００６４】
更に、前記チャネル品質情報タイプは、端末が測定する必要のあるチャネル品質情報のタイプを指示する。
【００６５】
更に、前記チャネル品質情報のタイプは、干渉測定値、信号対干渉雑音比(ＳＩＮＲ)、チャネル品質に関する他の測定値（例えば、信号対干渉比ＳＩＲ、信号対雑音比ＳＮＲ、スペクトル効率等）の中の少なくとも一つを含む。
【００６６】
本実施例によると、無線通信システムにおけるチャネル品質の測定指示シグナルの受信方法を提供し、具体的には以下を含む。
（１）端末は、基地局から送信されたチャネル品質の測定指示シグナルを受信してデコードする。
（２）端末は、シグナルタイプ情報に基づいて、当該シグナルがチャネル品質測定指示シグナルであると判定する。
（３）端末は、全ＦＰ報知指示情報に基づいて、全てのＦＰのチャネル品質情報を報知する必要があるか否かを判定する。ＹＥＳであると、ステップ（４）を実行し、ＮＯであるとステップ（５）を実行する。
（４）端末は、チャネル品質情報タイプに基づいて、測定する必要のあるチャネル品質情報を確定し、全てのＦＰのチャネル品質情報を報知する。
（５）端末は、ＦＰのｂｉｔｍａｐに基づいて、測定する必要のあるＦＰの番号を確定し、また、チャネル品質情報タイプに基づいて、測定する必要のあるチャネル品質情報を確定し、測定して、前記ＦＰのチャネル品質情報を報知する。
【００６７】
[実施例３]
本実施例によると、無線通信システムにおけるチャネル品質の測定指示シグナルの送信方法を提供し、具体的には以下を含む。
基地局は、ダウンリンクチャネルを介してチャネル品質の測定指示シグナルを送信し、その中、前記チャネル品質の測定指示シグナルは、端末に特定のＦＰのチャネル品質情報の報知を通知する。
【００６８】
その中、前記特定のＦＰは、一つ又は複数のＦＰを指す。
【００６９】
その中、前記特定のＦＰの選択は、前記基地局により確定され、又は上層のネットワークエレメントにより確定される。
【００７０】
その中、前記上層のネットワークエレメントは、基地局、中継機器、基地局コントローラ、アクセスサービスネットワーク、接続サービスネットワーク又はコアネットワークゲートウェイ等であることができる。
【００７１】
その中、前記チャネル品質の測定指示シグナルは、少なくとも、シグナルタイプ、ＦＰのｂｉｔｍａｐの中の一つを含む。
【００７２】
更に、前記シグナルタイプは、前記基地局から送信されたシグナルが前記チャネル品質測定指示シグナルであることを指示する。
【００７３】
更に、前記ＦＰのｂｉｔｍａｐは、端末がチャネル品質情報を報知する必要がある周波数パ−ティション（ＦＰ）の番号を指示する。
【００７４】
例えば、合計で４個のＦＰ、即ち[FP1，FP2，FP3，FP4]が存在する場合、ｂｉｔｍａｐ「０１０１」は端末がＦＰ２とＦＰ４のチャネル品質情報を報知する必要があることを示す。その中、ビットの位置は対応するＦＰ番号を示し、ビットが「１」であると端末がチャネル品質情報を報知する必要があることを示し、ビットが「０」であると端末がチャネル品質情報を報知する必要がないことを示す。
【００７５】
更に、前記ＦＰのｂｉｔｍａｐの長さは、ＦＰの数により確定される。
【００７６】
本実施例によると、無線通信システムにおけるチャネル品質の測定指示シグナルの受信方法を提供し、具体的には以下を含む。
（１）端末は、基地局から送信されたチャネル品質の測定指示シグナルを受信してデコードする。
（２）端末は、シグナルタイプ情報に基づいて、前記シグナルがチャネル品質測定指示シグナルであると判定する。
（３）端末は、ＦＰのｂｉｔｍａｐに基づいて、測定する必要のあるＦＰの番号を確定する。
（４）端末は、１種類又は複数の種類のチャネル品質の測定方法を選択し、測定する必要のあるＦＰにチャネル品質の測定を行って、選択したチャネル品質測定方法のインデックス情報と測定して得た前記ＦＰのチャネル品質情報を基地局に報知する。
【００７７】
更に、前記チャネル品質の測定方法は、干渉測定、信号対干渉雑音比(ＳＩＮＲ)測定、チャネル品質に関する情報の測定（例えば、信号対干渉比ＳＩＲ、信号対雑音比ＳＮＲ、スペクトル効率等）の中の少なくとも一つを含む。
【００７８】
[実施例４]
本実施例によると、無線通信システムにおけるチャネル品質の測定指示シグナルの送信方法、具体的には以下を含む。
基地局は、ダウンリンクチャネルを介してチャネル品質測定指示シグナルを送信し、その中、前記チャネル品質測定指示シグナルは、端末に特定のＦＰのチャネル品質情報の報知を通知する。
【００７９】
その中、前記特定のＦＰは、一つ又は複数のＦＰを指す。
【００８０】
その中、前記特定のＦＰの選択は、前記基地局により確定され、又は上層のネットワークエレメントにより確定される。
【００８１】
その中、前記上層のネットワークエレメントは、基地局、中継機器、基地局コントローラ、アクセスサービスネットワーク、接続サービスネットワーク又はコアネットワークゲートウェイ等であることができる。
【００８２】
その中、前記チャネル品質の測定指示シグナルは、少なくとも、シグナルタイプ、全ＦＰ報知指示情報、ＦＰのｂｉｔｍａｐの中の一つを含む。
【００８３】
更に、前記シグナルタイプは、前記基地局から送信されたシグナルが前記チャネル品質の測定指示シグナルであることを指示する。
【００８４】
更に、前記全ＦＰ報知指示情報は、端末が全てのＦＰのチャネル品質情報を報知する必要があるか否かを指示する。
【００８５】
更に、前記ＦＰのｂｉｔｍａｐは、端末がチャネル品質情報を報知する必要のある一部周波数パ−ティション（ＦＰ）の番号を指示する。具体的にどのＦＰのチャネル品質情報を報知する必要があるかを指示するように、全ＦＰ報知指示情報により端末が全てのＦＰのチャネル品質情報を報知する必要がないことが指示された場合のみに、ＦＰのｂｉｔｍａｐを含むことが好ましい。
【００８６】
例えば、合計で４個のＦＰ、即ち、[FP1，FP2，FP3，FP4]が存在する場合、ｂｉｔｍａｐ「０１０１」は端末がＦＰ２とＦＰ４のチャネル品質情報を報知する必要があることを示す。その中、ビットの位置は、対応するＦＰ番号を示し、ビットが「１」であると端末がチャネル品質情報を報知する必要があることを示し、ビットが「０」であると端末がチャネル品質情報を報知する必要がないことを示す。
【００８７】
更に、前記ＦＰのｂｉｔｍａｐの長さは、ＦＰの数により確定される。
【００８８】
本実施例によると、無線通信システムにおけるチャネル品質の測定指示シグナルの受信方法を提供し、具体的には以下を含む。
（１）端末は、基地局から送信されたチャネル品質の測定指示シグナルを受信してデコードする。
（２）端末は、シグナルタイプ情報に基づいて、当該シグナルがチャネル品質測定指示シグナルであると判定する。
（３）端末は、全ＦＰ報知指示情報に基づいて、全てのＦＰのチャネル品質情報を報知する必要があるか否かを判定する。ＹＥＳであると、ステップ（４）を実行し、ＮＯであると、ステップ（５）を実行する。
（４）端末は、１種類又は複数の種類のチャネル品質の測定方法を選択し、全てのＦＰにチャネル品質の測定を行って、選択したチャネル品質の測定方法のインデックス情報と測定して得た全てのＦＰのチャネル品質情報を基地局に報知する。
更に、前記チャネル品質の測定方法は、干渉測定、信号対干渉雑音比(ＳＩＮＲ)測定、チャネル品質に関する他の情報の測定の中の少なくとも一つを含む。
（５）端末は、ＦＰのｂｉｔｍａｐに基づいて、測定する必要のあるＦＰの番号を確定し、端末は１種類又は複数の種類のチャネル品質の測定方法を選択し、測定する必要のあるＦＰにチャネル品質の測定を行って、選択したチャネル品質の測定方法のインデックス情報と測定して得た前記ＦＰのチャネル品質情報を基地局に報知する。
更に、前記チャネル品質測定方法は、干渉測定、信号対干渉雑音比(ＳＩＮＲ)測定、チャネル品質に関する他の情報の測定（例えば、信号対干渉比ＳＩＲ、信号対雑音比ＳＮＲ、スペクトル効率等）の中の少なくとも一つを含む。
【００８９】
[実施例５]
本実施例によると、無線通信システムにおけるチャネル品質情報のフィードバック方法を提供し、具体的には以下を含む。
端末は、アップリンクチャネルを介してチャネル品質情報のフィードバックシグナルを基地局に送信し、その中、前記チャネル品質情報のフィードバックシグナルは、基地局に特定のＦＰのチャネル品質情報を報知するためのものである。
【００９０】
その中、前記特定のＦＰは、一つ又は複数のＦＰを指す。
【００９１】
その中、前記特定のＦＰの選択は、前記端末により確定され、又は上層のネットワークエレメントにより確定される。
【００９２】
その中、前記上層のネットワークエレメントは、基地局、中継機器、基地局コントローラ、アクセスサービスネットワーク、接続サービスネットワーク又はコアネットワークゲートウェイ等であることができる。
【００９３】
その中、前記チャネル品質情報のフィードバックシグナルは、少なくとも、シグナルタイプ、ＦＰのｂｉｔｍａｐ、チャネル品質情報タイプの中の一つを含む。
【００９４】
更に、前記シグナルタイプは、前記端末から送信されたシグナルが前記チャネル品質情報のフィードバックシグナルであることを指示する。
【００９５】
更に、前記ＦＰのｂｉｔｍａｐは、端末がチャネル品質情報を報知する周波数パ−ティション（ＦＰ）の番号を指示する。
【００９６】
例えば、合計で４個のＦＰ、即ち[FP1，FP2，FP3，FP4]が存在する場合、ｂｉｔｍａｐ「０１０１」は端末がＦＰ２とＦＰ４のチャネル品質情報を報知したことを示す。その中、ビットの位置は対応するＦＰ番号を示し、ビットが「１」であると、端末がチャネル品質情報を確定し、報知することを示し、ビットが「０」であると、端末がチャネル品質情報を報知しないことを示す。
【００９７】
更に、前記ＦＰのｂｉｔｍａｐの長さは、ＦＰの数により確定される。
【００９８】
更に、前記チャネル品質情報タイプは、端末が測定したチャネル品質情報のタイプを指示する。
【００９９】
更に、前記チャネル品質情報のタイプは、干渉測定値、信号対干渉雑音比(ＳＩＮＲ)、チャネル品質に関する他の測定値（例えば、信号対干渉比ＳＩＲ、信号対雑音比ＳＮＲ、スペクトル効率等）の中の少なくとも一つを含む。
【０１００】
本実施例によると、無線通信システムにおけるチャネル品質の情報のフィードバックシグナルの受信方法を提供し、具体的には以下を含む。
（１）基地局は、端末から送信されたチャネル品質情報のフィードバックシグナルを受信してデコードする。
（２）基地局は、シグナルタイプ情報に基づいて、前記シグナルがチャネル品質情報のフィードバックシグナルであると判定する。
（３）基地局は、ＦＰのｂｉｔｍａｐに基づいて、端末がフィードバックしたＦＰの番号を確定する。
（４）基地局は、チャネル品質情報タイプに基づいて、端末が測定したチャネル品質情報のタイプを確定する。
（５）基地局は、端末がフィードバックしたＦＰのチャネル品質情報を取得する。
【０１０１】
[実施例６]
本実施例によると、無線通信システムにおけるチャネル品質情報のフィードバック方法を提供し、具体的には以下を含む。
端末は、アップリンクチャネルを介してチャネル品質情報のフィードバックシグナルを基地局に送信し、その中、前記チャネル品質情報のフィードバックシグナルは、基地局に特定のＦＰのチャネル品質情報の報知を通知するものである。
【０１０２】
その中、前記特定のＦＰは、一つ又は複数のＦＰを指す。
【０１０３】
その中、前記特定のＦＰの選択は、前記端末により確定され、又は上層のネットワークエレメントにより確定される。
【０１０４】
その中、前記上層のネットワークエレメントは、基地局、中継機器、基地局コントローラ、アクセスサービスネットワーク、接続サービスネットワーク又はコアネットワークゲートウェイ等であることができる。
【０１０５】
その中、前記チャネル品質情報のフィードバックシグナルは、少なくとも、シグナルタイプ、全ＦＰ指示情報、ＦＰのｂｉｔｍａｐ、チャネル品質情報タイプの中の一つを含む。
【０１０６】
更に、前記シグナルタイプは、前記端末から送信されたシグナルが前記チャネル品質情報のフィードバックシグナルであることを指示する。
【０１０７】
更に、前記全てのＦＰ指示情報は、端末が全てのＦＰのチャネル品質情報を報知したか否かを指示する。
【０１０８】
更に、前記ＦＰのｂｉｔｍａｐは、端末がチャネル品質情報を報知する一部周波数パ−ティション（ＦＰ）の番号を指示する。具体的にどのＦＰのチャネル品質情報を報知するかを指示するように、全ＦＰ報知指示情報により端末が全てのＦＰのチャネル品質情報を報知する必要がないことが指示された場合のみにＦＰのｂｉｔｍａｐを含むことが好ましい。
【０１０９】
例えば、合計で４個のＦＰ、即ち[FP1，FP2，FP3，FP4]が存在する場合、ｂｉｔｍａｐ「０１０１」は端末がＦＰ２とＦＰ４のチャネル品質情報を報知したことを示す。その中、ビットの位置は対応するＦＰ番号を示し、ビットが「１」であると、端末がチャネル品質情報を確定し、報知することを示し、ビットが「０」であると、端末がチャネル品質情報を報知しないことを示す。
【０１１０】
更に、前記ＦＰのｂｉｔｍａｐの長さは、ＦＰの数により確定される。
【０１１１】
更に、前記チャネル品質情報タイプは、端末が測定したチャネル品質情報のタイプを指示する。
【０１１２】
更に、前記チャネル品質情報のタイプは、干渉測定値、信号対干渉雑音比(ＳＩＮＲ)、チャネル品質に関する他の測定値（例えば、信号対干渉比ＳＩＲ、信号対雑音比ＳＮＲ、スペクトル効率等）の中の少なくとも一つを含む。
【０１１３】
本実施例によると、無線通信システムにおけるチャネル品質情報のフィードバックシグナルの受信方法を提供し、具体的には以下を含む。
（１）基地局は、端末から送信されたチャネル品質情報のフィードバックシグナルを受信してデコードする。
（２）基地局は、シグナルタイプ情報に基づいて、前記シグナルがチャネル品質情報のフィードバックシグナルであると判定する。
（３）基地局は、全ＦＰ指示情報に基づいて、端末が全てのＦＰのチャネル品質情報を報知したか否かを判定する。ＹＥＳであると、ステップ（４）を実行し、ＮＯであると、ステップ（５）を実行する。
（４）基地局は、チャネル品質情報タイプに基づいて、端末が測定したチャネル品質情報のタイプを確定し、端末がフィードバックした全てのＦＰのチャネル品質情報を取得する。
（５）基地局は、ＦＰのｂｉｔｍａｐに基づいて、端末がフィードバックしたＦＰの番号を確定し、チャネル品質情報タイプに基づいて、端末が測定したチャネル品質情報のタイプを確定し、基地局は端末がフィードバックしたＦＰのチャネル品質情報を取得する。
【０１１４】
以下、具体的な実施例によって前記の方法を詳しく説明する。
[実施例７]
本実施例において、セル間の干渉を克服するため、システムは部分周波数再利用技術（Fractional  Frequency  Reuse、以下ＦＦＲと略称）を用い、三つの隣接セクタのＦＰ分割及び電力配置状況は図２に示すとおりである。周波数リソースを４個のＦＰに分割し、その中[FP2，FP3，FP4]の周波数再利用要素はＲｅｕｓｅ１/３であり、FP1の周波数再利用要素はＲｅｕｓｅ１である。セクタ１における[FP1，FP2，FP3，FP4]の送信電力は[Preuse1，PHigh，PLow1，PLow2]であり、セクタ２における[FP1，FP2，FP3，FP4]の送信電力は[Preuse1，PLow2，PHigh，PLow1]であり、セクタ３における[FP1，FP2，FP3，FP4]の送信電力は[Preuse1，PLow1，PLow2，PHigh]である。
【０１１５】
以下、セクタ１を例に、チャネル品質の測定指示シグナルの送信方法及び対応の受信方法を説明する。
【０１１６】
１．基地局ＢＳ１が端末ＭＳ１（ＭＳ１はセクタ１に位置し、そのサービング基地局はＢＳ１である）にＦＰ３とＦＰ４のチャネル品質情報を報知することを要求する場合、基地局ＢＳ１はチャネル品質の測定指示シグナルをＭＳ１に送信する。その中、当該シグナルが少なくとも含むシグナルフォーマットは表１に示す通りである。
【０１１７】
【表１】
2013502775.tif 000003
【０１１８】
２．端末ＭＳ１は、基地局ＢＳ１から送信されたチャネル品質の測定指示シグナルを受信した後、以下のステップを実行する。
（１）端末ＭＳ１は、基地局から送信されたチャネル品質の測定指示シグナルを受信してデコードする。
（２）端末ＭＳ１は、シグナルタイプ「０００１」に基づいて、前記シグナルがチャネル品質の測定指示シグナルであると判定する。
（３）端末ＭＳ１は、ＦＰのｂｉｔｍａｐ「００１１」に基づいて、ＦＰ３、ＦＰ４のチャネル品質情報を測定する必要があると確定する。
（４）端末ＭＳ１は、チャネル品質情報タイプ「１」に基づいて、測定する必要のあるチャネル品質情報のタイプがＳＩＮＲ値であると確定する。
（５）端末ＭＳ１は、ＦＰ３、ＦＰ４のＳＩＮＲ値を測定し、当該値を基地局ＢＳ１に報知する。
【０１１９】
[実施例８]
本実施例において、セル間の干渉を克服するために、システムは部分周波数再利用技術（Fractional  Frequency  Reuse、以下ＦＦＲと略称）を用い、三つの隣接セクタのＦＰ分割及び電力配置状況は図２に示す通りである。周波数リソースを４個のＦＰに分割し、その中[FP2，FP3，FP4]の周波数再利用要素はＲｅｕｓｅ１/３で、FP1の周波数再利用要素はＲｅｕｓｅ１である。セクタ１における[FP1，FP2，FP3，FP4]の送信電力は[Preuse1，PHigh，PLow1，PLow2]であり、セクタ２における[FP1，FP2，FP3，FP4]の送信電力は[Preuse1，PLow2，PHigh，PLow1]であり、セクタ３における[FP1，FP2，FP3，FP4]の送信電力は[Preuse1，PLow1，PLow2，PHigh]である。
【０１２０】
以下、セクタ１を例に、チャネル品質の測定指示シグナルの送信方法及び対応の受信方法を具体的に説明する。
【０１２１】
１．基地局ＢＳ１が端末ＭＳ１（ＭＳ１はセクタ１に位置し、そのサービング基地局はＢＳ１である）にＦＰ３とＦＰ４のチャネル品質情報を報知することを要求する場合、基地局ＢＳ１はチャネル品質の測定指示シグナルをＭＳ１に送信する。その中、当該シグナルが少なくとも含むシグナルフォーマットは表２に示す通りである。
【０１２２】
【表２】
2013502775.tif 000004
【０１２３】
２．端末ＭＳ１は、基地局ＢＳ１から送信されたチャネル品質の測定指示シグナルを受信した後、以下のステップを実行する。
（１）端末ＭＳ１は、基地局ＢＳ１から送信されたチャネル品質の測定指示シグナルを受信してデコードする。
（２）端末ＭＳ１は、シグナルタイプ「０００１」に基づいて、当該シグナルがチャネル品質の測定指示シグナルであると判定する。
（３）端末ＭＳ１は、全ＦＰ報知指示情報「０」に基づいて、全てのＦＰのチャネル品質情報の報知が要求されていないと判定する。
（４）端末ＭＳ１は、ＦＰのｂｉｔｍａｐ「００１１」に基づいて、ＦＰ３、ＦＰ４のチャネル品質情報を測定する必要があると判定する。
（５）端末ＭＳ１は、チャネル品質情報タイプ「１」に基づいて、測定する必要のあるチャネル品質情報のタイプがＳＩＮＲ値であると確定する。
（６）端末ＭＳ１は、ＦＰ３、ＦＰ４のＳＩＮＲ値を測定し、当該値を基地局ＢＳ１に送信する。
【０１２４】
[実施例９]
本実施例において、セル間の干渉を克服するため、システムは部分周波数再利用技術（Fractional  Frequency  Reuse、以下ＦＦＲと略称）を用い、三つの隣接セクタのＦＰ分割及び電力配置状況は図２に示す通りである。周波数リソースを４個のＦＰに分割し、その中[FP2，FP3，FP4]の周波数再利用要素はＲｅｕｓｅ１/３であり、FP1の周波数再利用要素はＲｅｕｓｅ１である。セクタ１における[FP1，FP2，FP3，FP4]の送信電力は[Preuse1，PHigh，PLow1，PLow2]であり、セクタ２における[FP1，FP2，FP3，FP4]の送信電力は[Preuse1，PLow2，PHigh，PLow1]であり、セクタ３における[FP1，FP2，FP3，FP4]の送信電力は[Preuse1，PLow1，PLow2，PHigh]である。
【０１２５】
以下、セクタ１を例に、チャネル品質の測定指示シグナルの送信方法及び対応の受信方法を具体的に説明する。
１．基地局ＢＳ１が端末ＭＳ１（ＭＳ１はセクタ１に位置し、そのサービング基地局はＢＳ１である）にＦＰ３とＦＰ４のチャネル品質情報を報知することを要求する場合、基地局ＢＳ１はチャネル品質の測定指示シグナルをＭＳ１に送信する。その中、当該シグナルが少なくとも含むシグナルフォーマットは表３に示す通りである。
【０１２６】
【表３】
2013502775.tif 000005
【０１２７】
２．端末ＭＳ１は基地局ＢＳ１から送信されたチャネル品質測定指示シグナルを受信した後、以下のステップを実行する。
（１）端末ＭＳ１は、基地局ＢＳ１から送信されたチャネル品質測定指示シグナルを受信してデコードする。
（２）端末ＭＳ１は、シグナルタイプ「０００１」に基づいて、当該シグナルがチャネル品質測定指示シグナルであると判定する。
（３）端末ＭＳ１は、全ＦＰ報知指示情報「１」に基づいて、全てのＦＰのチャネル品質情報の報知が要求されたと判定する。
（４）端末ＭＳ１は、チャネル品質情報タイプ「１」に基づいて、測定する必要のあるチャネル品質情報のタイプがＳＩＮＲ値であると確定する。
（５）端末ＭＳ１は、全てのＦＰ、即ちＦＰ１、ＦＰ２、ＦＰ３、ＦＰ４のＳＩＮＲ値を測定し、当該値を基地局ＢＳ１に報知する。
【０１２８】
[実施例１０]
本実施例において、セル間の干渉を克服するため、システムは部分周波数再利用技術（Fractional  Frequency  Reuse、以下ＦＦＲと略称）を用い、三つの隣接セクタのＦＰ分割及び電力配置状況は図２に示す通りである。周波数リソースを４個のＦＰに分割し、その中[FP2，FP3，FP4]の周波数再利用要素はＲｅｕｓｅ１/３であり、FP1の周波数再利用要素はＲｅｕｓｅ１である。セクタ１における[FP1，FP2，FP3，FP4]の送信電力は[Preuse1，PHigh，PLow1，PLow2]であり、セクタ２における[FP1，FP2，FP3，FP4]の送信電力は[Preuse1，PLow2，PHigh，PLow1]であり、セクタ３における[FP1，FP2，FP3，FP4]の送信電力は[Preuse1，PLow1，PLow2，PHigh]である。
【０１２９】
以下、セクタ１を例に、チャネル品質の測定指示シグナルの送信方法及び対応する受信方法を具体的に説明する。
１．基地局ＢＳ１が端末ＭＳ１（ＭＳ１はセクタ１に位置し、そのサービング基地局はＢＳ１である）にＦＰ３とＦＰ４のチャネル品質情報の報知を要求する場合、基地局ＢＳ１はチャネル品質の測定指示シグナルをＭＳ１に送信する。その中、当該シグナルが少なくとも含むシグナルフォーマットは表４に示す通りである。
【０１３０】
【表４】
2013502775.tif 000006
２．端末ＭＳ１は基地局ＢＳ１から送信されるチャネル品質の測定指示シグナルを受信した後、以下のステップを実行する。
【０１３１】
（１）端末ＭＳ１は、基地局から送信されたチャネル品質の測定指示シグナルを受信してデコードする。
（２）端末ＭＳ１は、シグナルタイプ「０００１」に基づいて、前記シグナルがチャネル品質の測定指示シグナルであると判定する。
（３）端末ＭＳ１はＦＰのｂｉｔｍａｐ「００１１」に基づいて、ＦＰ３、ＦＰ４のチャネル品質情報を測定する必要があると確定する。
（４）端末ＭＳ１は、１種類又は複数の種類のチャネル品質の測定方法を選択し、ＦＰ３、ＦＰ４にチャネル品質の測定を行い、例えば、「０」は干渉測定を、「１」はＳＩＮＲ測定を示す。本実施例において、端末ＭＳ１がＦＰ３、ＦＰ４のＳＩＮＲ値を測定する場合、端末ＭＳ１は選択したチャネル品質の測定方法のインデックス情報の「１」と測定して得たＦＰ３、ＦＰ４のＳＩＮＲ情報を基地局ＢＳ１に報知する。
【０１３２】
[実施例１１]
本実施例において、セル間の干渉を克服するため、システムは部分周波数再利用技術（Fractional  Frequency  Reuse、以下ＦＦＲと略称）を用い、三つの隣接セクタのＦＰ分割及電力配置状況は図２に示す通りである。周波数リソースを４個のＦＰに分割し、その中、[FP2，FP3，FP4]の周波数再利用要素はＲｅｕｓｅ１/３であり、FP1の周波数再利用要素はＲｅｕｓｅ１である。セクタ１における[FP1，FP2，FP3，FP4]の送信電力は[Preuse1，PHigh，PLow1，PLow2]であり、セクタ２における[FP1，FP2，FP3，FP4]の送信電力は[Preuse1，PLow2，PHigh，PLow1] であり、セクタ３における[FP1，FP2，FP3，FP4]の送信電力は[Preuse1，PLow1，PLow2，PHigh]である。
【０１３３】
以下、セクタ１を例に、チャネル品質の測定指示シグナルの送信方法及び対応する受信方法を具体的に説明する。
１．基地局ＢＳ１が端末ＭＳ１（ＭＳ１はセクタ１に位置し、そのサービング基地局はＢＳ１である）にＦＰ３とＦＰ４のチャネル品質情報を報知することを要求する場合、基地局ＢＳ１はチャネル品質の測定指示シグナルをＭＳ１に送信する。その中、当該シグナルが少なくとも含むシグナルフォーマットは表５に示す通りである。
【０１３４】
【表５】
2013502775.tif 000007
【０１３５】
２．端末ＭＳ１は基地局ＢＳ１から送信されるチャネル品質の測定指示シグナルを受信した後、以下のステップを実行する。
（１）端末ＭＳ１は、基地局ＢＳ１から送信されるチャネル品質の測定指示シグナルを受信してデコードする。
（２）端末ＭＳ１は、シグナルタイプ「０００１」に基づいて、当該シグナルがチャネル品質の測定指示シグナルであると判定する。
（３）端末ＭＳ１は、全ＦＰ報知指示情報「０」に基づいて、全てのＦＰのチャネル品質情報の報知が要求されていないと判定する。
（４）端末ＭＳ１は、ＦＰのｂｉｔｍａｐ「００１１」に基づいて、ＦＰ３、ＦＰ４のチャネル品質情報を測定する必要があると確定する。
（５）端末ＭＳ１は、１種類又は複数の種類のチャネル品質の測定方法を選択し、ＦＰ３、ＦＰ４にチャネル品質の測定を行う。例えば、「０」が干渉測定を、「１」がＳＩＮＲ測定を示す。本実施例において、端末ＭＳ１がＦＰ３、ＦＰ４のＳＩＮＲ値を測定した場合、端末ＭＳ１は選択したチャネル品質の測定方法のインデックス情報の「１」と測定して得たＦＰ３、ＦＰ４のＳＩＮＲ情報を基地局ＢＳ１に報知する。
【０１３６】
[実施例１２]
本実施例において、セル間の干渉を克服するため、システムは部分周波数再利用技術（Fractional  Frequency  Reuse、以下ＦＦＲと略称）を用い、三つの隣接セクタのＦＰ分割及び電力配置状況は図２に示す通りである。周波数リソースを４個のＦＰに分割し、その中、[FP2，FP3，FP4]の周波数再利用要素はＲｅｕｓｅ１/３であり、FP1の周波数再利用要素はＲｅｕｓｅ１である。セクタ１における[FP1，FP2，FP3，FP4]の送信電力は[Preuse1，PHigh，PLow1，PLow2]であり、セクタ２における[FP1，FP2，FP3，FP4]の送信電力は[Preuse1，PLow2，PHigh，PLow1]であり、セクタ３における[FP1，FP2，FP3，FP4]の送信電力は[Preuse1，PLow1，PLow2，PHigh]である。
【０１３７】
以下、セクタ１を例に、チャネル品質の測定指示シグナルの送信方法及び対応する受信方法を具体的に説明する。
１．基地局ＢＳ１が端末ＭＳ１（ＭＳ１はセクタ１に位置し、そのサービング基地局はＢＳ１である）にＦＰ３とＦＰ４のチャネル品質情報を報知することを要求する場合、基地局ＢＳ１はチャネル品質の測定指示シグナルをＭＳ１に送信する。その中、当該シグナルが少なくとも含むシグナルフォーマットは表６に示す通りである。
【０１３８】
【表６】
2013502775.tif 000008
【０１３９】
２．端末ＭＳ１は基地局ＢＳ１から送信されるチャネル品質の測定指示シグナルを受信した後、以下のステップを実行する。
（１）端末ＭＳ１は、基地局ＢＳ１から送信されるチャネル品質の測定指示シグナルを受信してデコードする。
（２）端末ＭＳ１は、シグナルタイプ「０００１」に基づいて、当該シグナルがチャネル品質の測定指示シグナルであると判定する。
（３）端末ＭＳ１は、全ＦＰ報知指示情報「１」に基づいて、全てのＦＰのチャネル品質情報の報知が要求されたと判定する。
（４）端末ＭＳ１は、１種類又は複数の種類のチャネル品質の測定方法を選択し、全てのＦＰ、即ちＦＰ１、ＦＰ２、ＦＰ３、ＦＰ４にチャネル品質の測定を行う。例えば、「０」が干渉測定を、「１」がＳＩＮＲ測定を示す。本実施例において、端末ＭＳ１がＦＰ１、ＦＰ２、ＦＰ３、ＦＰ４のＳＩＮＲ値を測定した場合、端末ＭＳ１は選択したチャネル品質の測定方法のインデックス情報の「１」と測定して得たＦＰ１、ＦＰ２、ＦＰ３、ＦＰ４のＳＩＮＲ情報を基地局ＢＳ１に報知する。
【０１４０】
[実施例１３]
本実施例において、セル間の干渉を克服するため、システムは部分周波数再利用技術（Fractional  Frequency  Reuse、以下ＦＦＲと略称）を用い、三つの隣接セクタのＦＰ分割及び電力配置状況は図２に示す通りである。周波数リソースを４個のＦＰに分割し、その中、[FP2，FP3，FP4]の周波数再利用要素はＲｅｕｓｅ１/３であり、FP1の周波数再利用要素はＲｅｕｓｅ１である。セクタ１における[FP1，FP2，FP3，FP4]の送信電力は[Preuse1，PHigh，PLow1，PLow2]であり、セクタ２における[FP1，FP2，FP3，FP4]の送信電力は[Preuse1，PLow2，PHigh，PLow1]であり、セクタ３における[FP1，FP2，FP3，FP4]の送信電力は[Preuse1，PLow1，PLow2，PHigh]である。
【０１４１】
以下、セクタ１を例に、チャネル品質情報のフィードバックシグナルの送信方法及び対応する受信方法を具体的に説明する。
１．端末ＭＳ１が基地局ＢＳ１（ＭＳ１はセクタ１に位置し、そのサービング基地局はＢＳ１である）にＦＰ３とＦＰ４のチャネル品質情報を報知する場合、端末ＭＳ１はチャネル品質情報のフィードバックシグナルを基地局ＢＳ１に送信する。その中、当該シグナルが少なくとも含むシグナルフォーマットは表７に示す通りである。
【０１４２】
【表７】
2013502775.tif 000009
【０１４３】
２．基地局ＢＳ１は端末ＭＳ１から送信されるチャネル品質情報のフィードバックシグナルを受信した後、以下のステップを実行する。
（１）基地局ＢＳ１は、端末ＭＳ１から送信されるチャネル品質情報のフィードバックシグナルをデコードする。
（２）基地局ＢＳ１は、シグナルタイプ情報「００１０」に基づいて、前記シグナルがチャネル品質情報のフィードバックシグナルであると判定する。
（３）基地局ＢＳ１は、ＦＰのｂｉｔｍａｐ「００１１」に基づいて、端末ＭＳ１がフィードバックしたＦＰがＦＰ３、ＦＰ４であると確定する。
（４）基地局ＢＳ１は、チャネル品質情報タイプ「１」に基づいて、端末ＭＳ１が測定したＦＰ３、ＦＰ４のチャネル品質情報のタイプがＳＩＮＲ値であると確定する。
（５）基地局ＢＳ１は、端末ＭＳ１がフィードバックしたＦＰ３、ＦＰ４のＳＩＮＲ値を取得する。
【０１４４】
[実施例１４]
本実施例において、セル間の干渉を克服するため、システムは部分周波数再利用技術（Fractional  Frequency  Reuse、以下ＦＦＲと略称）を用い、三つの隣接セクタのＦＰ分割及び電力配置状況は図２に示す通りである。周波数リソースを４個のＦＰに分割し、その中、[FP2，FP3，FP4]の周波数再利用要素はＲｅｕｓｅ１/３であり、FP1の周波数再利用要素はＲｅｕｓｅ１である。セクタ１における[FP1，FP2，FP3，FP4]の送信電力は[Preuse1，PHigh，PLow1，PLow2]であり、セクタ２における[FP1，FP2，FP3，FP4]の送信電力は[Preuse1，PLow2，PHigh，PLow1]であり、セクタ３における[FP1，FP2，FP3，FP4]の送信電力は[Preuse1，PLow1，PLow2，PHigh] である。
【０１４５】
以下、セクタ１を例に、チャネル品質情報のフィードバックシグナルの送信方法及び対応する受信方法を具体的に説明する。
１．端末ＭＳ１が基地局ＢＳ１（ＭＳ１はセクタ１に位置し、そのサービング基地局はＢＳ１である）にＦＰ３とＦＰ４のチャネル品質情報を報知する場合、端末ＭＳ１はチャネル品質情報のフィードバックシグナルを基地局ＢＳ１に送信する。その中、当該シグナルが少なくとも含むシグナルフォーマットは表８に示す通りである。
【０１４６】
【表８】
2013502775.tif 000010
【０１４７】
２．基地局ＢＳ１は端末ＭＳ１から送信されるチャネル品質情報のフィードバックシグナルを受信した後、以下のステップを実行する。
（１）基地局ＢＳ１は、端末ＭＳ１から送信されるチャネル品質情報のフィードバックシグナルをデコードする。
（２）基地局ＢＳ１は、シグナルタイプ「００１０」に基づいて、当該シグナルがチャネル品質情報のフィードバックシグナルであると判定する。
（３）基地局ＢＳ１は、全ＦＰ報知指示情報「０」に基づいて、端末ＭＳ１が全てのＦＰのチャネル品質情報を報知しないと確定する。
（４）基地局ＢＳ１は、ＦＰのｂｉｔｍａｐ「００１１」に基づいて、端末ＭＳ１がＦＰ３、ＦＰ４のチャネル品質情報を報知したと確定する。
（５）基地局ＢＳ１は、チャネル品質情報タイプ「１」に基づいて、端末ＭＳ１が測定したチャネル品質情報のタイプがＳＩＮＲ値であると確定する。
（６）基地局ＢＳ１は、端末ＭＳ１がフィードバックしたＦＰ３、ＦＰ４のＳＩＮＲ値を取得する。
【０１４８】
[実施例１５]
本実施例において、セル間の干渉を克服するため、システムは部分周波数再利用技術（Fractional  Frequency  Reuse、以下ＦＦＲと略称）を用い、三つの隣接セクタのＦＰ分割及び電力配置状況は図２に示す通りである。周波数リソースを４個のＦＰに分割し、その中、[FP2，FP3，FP4]の周波数再利用要素はＲｅｕｓｅ１/３であり、FP1の周波数再利用要素はＲｅｕｓｅ１である。セクタ１における[FP1，FP2，FP3，FP4]の送信電力は[Preuse1，PHigh，PLow1，PLow2]であり、セクタ２における[FP1，FP2，FP3，FP4]の送信電力は[Preuse1，PLow2，PHigh，PLow1]であり、セクタ３における[FP1，FP2，FP3，FP4]の送信電力は[Preuse1，PLow1，PLow2，PHigh]である。
【０１４９】
以下、セクタ１を例に、チャネル品質情報のフィードバックシグナルの送信方法及び対応する受信方法を具体的に説明する。
１．端末ＭＳ１が基地局ＢＳ１（ＭＳ１はセクタ１に位置し、そのサービング基地局はＢＳ１である）にＦＰ３とＦＰ４のチャネル品質情報を報知する場合、端末ＭＳ１はチャネル品質情報のフィードバックシグナルを基地局ＢＳ１に送信する。その中、当該シグナルが少なくとも含むシグナルフォーマットは表９に示す通りである。
【０１５０】
【表９】
2013502775.tif 000011
【０１５１】
２．基地局ＢＳ１は端末ＭＳ１から送信されるチャネル品質情報のフィードバックシグナルを受信した後、以下のステップを実行する。
（１）基地局ＢＳ１は、端末ＭＳ１から送信されるチャネル品質情報のフィードバックシグナルをデコードする。
（２）基地局ＢＳ１は、シグナルタイプ「００１０」に基づいて、当該シグナルがチャネル品質情報のフィードバックシグナルであると判定する。
（３）基地局ＢＳ１は、全ＦＰ報知指示情報「１」に基づいて、端末ＭＳ１が全てのＦＰのチャネル品質情報を報知したと確定する。
（４）基地局ＢＳ１は、チャネル品質情報タイプ「１」に基づいて、端末ＭＳ１が測定したチャネル品質情報のタイプがＳＩＮＲ値であると確定する。
（５）基地局ＢＳ１は、端末ＭＳ１がフィードバックした全てのＦＰ、即ちＦＰ１、ＦＰ２、ＦＰ３、ＦＰ４のＳＩＮＲ値を取得する。
【０１５２】
[実施例１６]
図３は、本発明の実施例１６に係る伝送システムの構造を示すブロック図である。図３に示すように、本実施例によると、チャネル品質の測定指示シグナルの伝送システムが提供され、当該システムは、端末にチャネル品質の測定指示シグナルを送信する基地局３２と、基地局３２にカップリングされ、前記チャネル品質の測定指示シグナルを受信し、前記チャネル品質の測定指示シグナルのシグナルタイプに基づいて前記シグナルがチャネル品質の測定指示シグナルであるか判定し、また、前記チャネル品質の測定指示シグナルに基づいて測定し、前記一つ又は複数の周波数パ−ティションのチャネル品質情報を報知する端末３４と、を含む。前記チャネル品質の測定指示シグナルは、端末に一つ又は複数の周波数パ−ティションのチャネル品質情報を報知することを指示する。
【０１５３】
図３は、本発明の実施例１６に係る伝送システムの構造を示すブロック図である。図３に示すように、本実施例によると、チャネル品質情報のフィードバックシグナルの伝送システムが提供され、当該システムは、報知した一つ又は複数の周波数パ−ティションのチャネル品質情報を含むチャネル品質情報のフィードバックシグナルを基地局に送信する端末３４と、前記チャネル品質情報のフィードバックシグナルを受信し、前記シグナルタイプ情報に基づいて、前記シグナルがチャネル品質情報のフィードバックシグナルであるか判定し、前記チャネル品質情報のフィードバックシグナルに基づいてチャネル品質情報を取得する基地局３２と、を含む。
【０１５４】
当業者にとっては、上述の本発明の各ブロック又は各ステップは共通の計算装置によって実現することができ、単独の計算装置に集中させることもできれば、複数の計算装置から構成されるネットワークに分布させることもでき、さらに計算装置は、実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかである。このように、本発明は如何なる特定のハードウェアとソフトウェアの組み合わせにも限定されない。
【０１５５】
以上は、本発明の好適な実施例に過ぎず、本発明を限定するものではない。当業者であれば本発明に様々な修正や変形が可能である。本発明の精神や原理内での如何なる修正、置換、改良などは本発明の保護範囲内に含まれる。
【図１】
2013502775.tif 000012
【図２】
2013502775.tif 000013
【図３】
2013502775.tif 000014
【国際調査報告】
2013502775.tif 000015
2013502775.tif 000016
2013502775.tif 000017
2013502775.tif 000018
2013502775.tif 000019
2013502775.tif 000020